【手続補正書】
【提出日】平成19年11月17日(2007.11.17)
【手続補正１】
【補正対象書類名】特許請求の範囲
【補正対象項目名】全文
【補正方法】変更
【補正の内容】
【特許請求の範囲】
【請求項１】
燃料を内包する外側ケーシングと、
上記ケーシングに支持され、暗号化されたデータを復号できるコントローラにより読み出し可能な暗号化データを記憶する情報記憶装置とを有することを特徴とする燃料電池用の燃料サプライ。
【請求項２】
上記データは対称鍵手法または公開鍵手法により暗号化および復号される請求項１記載の燃料サプライ。
【請求項３】
上記暗号化データは、カートリッジのタイプ、カートリッジが製造された日、カートリッジのロット番号、カートリッジに付与された連続識別番号、情報記憶装置が製造された日、情報記憶装置のロット番号、情報記憶装置に付与された連続識別番号、カートリッジおよび／または記憶装置用の機械識別番号、カートリッジおよび／または記憶装置が製造されたシフト（出番時間帯）、カートリッジおよび／または記憶装置が製造された国、カートリッジおよび／または記憶装置が製造された工場を識別するためのファシリティコード、温度、圧力、振動耐性、その他の動作限界、製造に用いた材料、反模倣情報、燃料情報、知的所有権情報、安全情報、セキュリティパスワード、有効期限日、シャットダウンシーケンス、ホットスワップ手順、リサイクル情報、反応物質情報、燃料ゲージタイプ、流体センサ情報、現在の燃料レベル、現在の燃料中のイオンレベル、燃料電池から取り外した回数、カートリッジを再充填した回数、カートリッジを燃料電池から取り外したときの燃料レベル、カートリッジを燃料電池に装着／結合した回数、カートリッジを燃料電池に結合したときの燃料レベル、保守情報、マーケティング情報、トリガーイベント、燃料電池の効率、および、燃料電池システムの動作履歴からなるグループから選択されている請求項１記載の燃料サプライ。
【請求項４】
燃料電池を内包する外側ケーシングと、
上記ケーシングにより支持され、現在の燃料中のイオンレベル、カートリッジの振動耐性、反模倣情報、知的所有権情報、セキュリティパスワード、有効期限日、シャットダウンシーケンス、ホットスワップ手順、燃料ゲージタイプ、および燃料センサ情報からなるグループから選択されたデータを記憶する情報記憶装置とを有し、
上記グループの情報はコントローラにより読み出し可能であることを特徴とする燃料電池用の燃料サプライ。
【請求項５】
燃料を内包するケーシングと、
上記ケーシングに配置され、セキュリティ識別パスワードを含む第１の情報記憶装置とを有し、
確認パスワードをアクセス可能なコントローラが、上記セキュリティ識別パスワードを読み出し、上記確認パスワードと照合し、上記セキュリティ識別パスワードが上記確認パスワードと合致したときには上記コントローラが上記燃料サプライの動作を許容し、上記セキュリティ識別パスワードが上記確認パスワードと合致ないときには上記コントローラが上記燃料サプライの動作を禁止することを特徴とする燃料電池用の燃料サプライ。
【請求項６】
上記確認パスワードは、上記コントローラ、上記燃料電池の内部に設けられた他の情報記憶装置、または、上記燃料電池へ燃料を運ぶように適合化されたポンプに設けられた他の情報記憶装置に記憶される請求項５記載の燃料サプライ。
【請求項７】
燃料を内包し、出口を具備するケーシングと、
上記ケーシングに支持され、第１のデータを含む第１の情報記憶装置と、
上記出口と液体連通であり、上記第１のデータと異なる第２のデータを含む第２の情報記憶装置を含む再充填装置とを有し、コントローラが第１の情報記憶装置および上記第２の情報記憶装置から読み出しが可能である請求項２５記載の燃料サプライ。
【請求項８】
上記情報記憶装置は電気的に消去可能なプログラマブルリードオンリーメモリを含む請求項１、４、５、または７記載の燃料サプライ。
【請求項９】
上記グループの情報は上記電気的に消去可能なプログラマブルリードオンリーメモリの非消去可能部分に記憶される請求項１、４、または８記載の燃料サプライ。
【請求項１０】
上記コントローラは上記燃料電池の内部に配置される請求項１、４、または５記載の燃料サプライ。
【請求項１１】
上記コントローラは、上記燃料電池が電力供給する電子装置の内部に配置される請求項１、４、または５記載の燃料サプライ。
【請求項１２】
上記コントローラは上記情報記憶装置に電気接続により接続される請求項１、４、５、または７記載の燃料サプライ。
【請求項１３】
上記コントローラは上記情報記憶装置にワイヤレス接続により接続される請求項１、４、５、または７記載の燃料サプライ。
【請求項１４】
上記燃料サプライはポンプに接続可能である請求項１、４、５、または７記載の燃料サプライ。
【請求項１５】
上記情報帰国装置がホットスワップ手順に関する情報を含む燃料電池に関連する情報記憶装置。
【請求項１６】
上記情報記憶装置は、上記燃料電池の内部に、上記燃料電池が電力供給する電子装置の内部に、または上記燃料電池に燃料を供給する燃料サプライの内部に配置される請求項１５記載の燃料電池に関連する情報記憶装置。
【請求項１７】
上記ホットスワップ手順は、トリガーのイベントが発生したときに、予め定められたシーケンスに従って、上記情報記憶装置をアクセスするコントローラが、電子装置用の代替電源へと切り替わり、かつ、燃料を上記燃料電池にポンピングするポンプが停止するように指示するための命令を含む請求項１５記載の燃料電池に関連する情報記憶装置。
【請求項１８】
上記トリガーのイベントは、上記電子装置が動作しているときに上記燃料電池用の上記燃料を含む燃料サプライが取り外されることを含む請求項１７記載の燃料電池に関連する情報記憶装置。
【請求項１９】
上記代替電源が、バッテリ、または上記燃料電池用の燃料を含む予備燃料室部を含み、かつ、上記代替電源を使用している間に上記コントローラが上記情報記憶装置に情報を書き込む請求項１７記載の燃料電池に関連する情報記憶装置。
【請求項２０】
上記予め定められたシーケンスは、上記代替電源を用いて上記ポンプを駆動して上記燃料電池と上記燃料電池用のでん量を含む燃料サプライとの間のインタフェースから燃料をポンピングして除去することを含む請求項１７記載の燃料電池に関連する情報記憶装置。
【請求項２１】
上記ホットスワップ手順はセマフォー「ロック」バーブとセマフォー「アンロック」バーブを含む請求項１５記載の燃料電池に関連する情報記憶装置。
【請求項２２】
第１の情報記憶装置、燃料調整器、および、膜交換部材を含む燃料電池と動作可能に接続されたコントローラを有し、
上記第１の記憶装置は、燃料サプライ上に設けられ、上記燃料サプライに関連する情報を含み、上記コントローラは上記情報記憶装置に対して読み出しおよび書き込みが可能であり、
上記燃料サプライは上記燃料調整器と液体連通しており、上記燃料調整器は上記燃料電池と液体連通しており、上記燃料サプライに含まれる燃料が上記燃料電池に運ばれて電気に変換され、さらに、
上記燃料調整器は調整バルブを含むことを特徴とする燃料電池システム。
【請求項２３】
上記燃料サプライの内部圧力は雰囲気圧力より大きい請求項２２記載の燃料電池。
【請求項２４】
上記燃料調整器はさらに上記調整バルブと液体連通するポンプを有する請求項２２記載の燃料電池。
【請求項２５】
上記燃料電池が電力供給を行う電子装置がオンとなるときに、上記コントローラは上記第１の情報記憶装置から読み出しを行ない、上記燃料サプライが上記燃料サプライと互換性があるかどうかを確認する請求項２２記載の燃料電池システム。
【請求項２６】
上記コントローラが、
上記ポンプに対して燃料を上記燃料サプライからポンピングするように命令し、または、
上記調整器を通じた流速を安定化させ、または、
上記調整バルブ中の開口のサイズをセットして上記流速を安定化させ、または、
上記ポンプのレートをセットして上記流速を安定化させ、または、
上記燃料サプライ中の残留燃料を測定する燃料ゲージから読み出しを行ない、上記残留燃料の容積を上情報記憶装置に書き込み、または、
上記燃料調整器を通じて運ばれる燃料の容積を、流速と、上記燃料調整器を通じて燃料が流れる時間間隔とから確かめ、または、
上記燃料調整器を通じて運ばれる燃料の容積を用いて上記残留燃料の容積を確かめ、上記情報記憶装置に書き込み、または、
流速計から上記流速を読み出し、または、
上記燃料電池に動作可能に接続された濃度センサから燃料濃度を読み出し、または、
上記燃料調整器を介する流速を変更して上記燃料濃度を予め定められた範囲に維持する請求項２２記載の燃料電池システム。
【請求項２７】
さらに混合室部を有し、上記混合室部は、上記燃料調整器を通じて運ばれる燃料と上記燃料電池の反応により生成される副産物とを含み、上記コントローラは、上記燃料調整器を通して運ばれる燃料の容積を制御して、上記予め定められた燃料濃度範囲を維持する請求項２２記載の燃料電池システム。
【請求項２８】
上記燃料調整器を通して運ばれる燃料を受け取るように適合化した燃料コンパートメントと上記燃料電池の反応により生成された副産物を受け取るように適合化した副産物コンパートメントとをさらに有し、上記コントローラは、上記燃料コンパートメントおよび上記副産物コンパートメント空上記燃料電池への燃料および副産物の流速を個別に制御して上記予め定められた燃料濃度範囲を維持する請求項２２記載の燃料電池システム。
【請求項２９】
上記燃料コンパートメントおよび上記副産物コンパートメントは１の混合室部に含まれる請求項２８記載の燃料電池システム。
【請求項３０】
イオン燃料フィルタをさらに有する請求項２２記載の燃料電池システム。
【請求項３１】
上記コントローラが読み出し可能なイオンセンサをさらに有する請求項２２記載の燃料電池システム。
【請求項３２】
上記調整バルブは、燃料の流速または圧力が予め定められたレベルを下回るときに不浸透表面から離間して配置される柔らかな微孔性膜を有し、上記燃料は、上記膜の穴および上記不浸透表面の少なくとも１つの開口を介して運ばれる請求項２２記載の燃料電池システム。
【請求項３３】
燃料の上記速度または圧力が上記予め定められたレベルを超えると、上記柔らかな微孔性膜が変形して上記膜の少なくとも一部が上記不浸透表面と接触する請求項３２記載の燃料電池システム。
【請求項３４】
上記柔らかな微孔性膜が上記調整バルブに固定して取り付けられ、燃料の上記速度または圧力が上記予め定められたレベルを超えると上記柔らかな微孔性膜が伸びる請求項３３記載の燃料電池システム。
【請求項３５】
上記不浸透表面は実質的に平坦である請求項３３記載の燃料電池システム。
【請求項３６】
上記不浸透表面は実質的に平坦でない請求項３３記載の燃料電池システム。
【請求項３７】
上記不浸透表面はその表面に流れ溝を規定し、上記流れ溝が上記不浸透表面の上記少なくとも１つの開口と液体連通である請求項３３記載の燃料電池システム。
【請求項３８】
上記流れ溝は、複数の放射状の足部、または複数の連結された同心円、または上記流れ溝は内側に向かった螺旋チャンネルを有する請求項３７記載の燃料電池システム。
【請求項３９】
上記少なくとも１つの開口の下流側にフィラーまたは保持材料が配置される請求項３３記載の燃料電池システム。
【請求項４０】
上記調整バルブは、上記調整バルブの出口に配置されたシールをさらに有し、燃料が上記調整バルブを介して運べるようになる前に、上記シールを開けるようにする請求項３３記載の燃料電池システム。
【請求項４１】
上記燃料電池により制止された電気をバッテリに再充電する請求項２２記載の燃料電池システム。
【請求項４２】
イオン導電性のポリマーから製造された媒体を有し、当該フィルタを出る燃料の金属イオンが当該フィルタに入る燃料の金属イオンより少なく、
上記媒体は、照射され、スルホン化されたポリマーを有し、または、
上記媒体は、イオン化可能な基を含有する官能化されたアルケンで共重合された非置換のアルケンまたはその先駆体、および、重合化されたアルケンおよび事後的に膜に導入されたイオン基を含み、または、
上記媒体は金属捕捉剤を有し、当該金属捕捉剤が金属イオンと結合し、または、
上記媒体が、ポリスチレンスルホン酸−ポリビニルアルコールコポリマー（ＰＳＳＡ−ＰＶＡ）およびポリスチレンスルホン酸−エチレンビニルアルコールコポリマー（ＰＳＳＡ−ＥＶＯＨ）からなるグループから選択されることを特徴とする燃料電池用のフィルタ。
【請求項４３】
電源および離間する２つのノードを有し、上記電源が上記２つのノードの間に電圧を印可し、測定対象の燃料が上記ノードの間にあり、上記２つのノードの間で測定された電気特性が上記燃料中のイオンの量に関連することを特徴とするイオンゲージ。
【手続補正２】
【補正対象書類名】明細書
【補正対象項目名】０１０５
【補正方法】変更
【補正の内容】
【０１０５】
添付図面は明細書の一部を形成し、明細書との関連において理解されるべきであり、種々の図において類似の参照番号は類似の部分を示すために用いられる。添付図面は以下の通りである。
なお、以下に、上述実施例の技術的な特徴を列挙する。
［技術的特徴１］
燃料を内包する外側ケーシングと、
上記ケーシングに支持され、暗号化されたデータを復号できるコントローラにより読み出し可能な暗号化データを記憶する情報記憶装置とを有することを特徴とする燃料電池用の燃料サプライ。
［技術的特徴２］
上記データは対称鍵手法により暗号化および復号される技術的特徴１記載の燃料サプライ。
［技術的特徴３］
上記データは公開鍵手法により暗号化および復号される技術的特徴１記載の燃料サプライ。
［技術的特徴４］
当該燃料サプライは燃料カートリッジである技術的特徴１記載の燃料サプライ。
［技術的特徴５］
上記燃料はライナーに含まれ、上記ライナーが上記外側ケーシング内に配置される技術的特徴１記載の燃料サプライ。
［技術的特徴６］
上記情報記憶装置は電気的に消去可能なプログラマブルリードオンリーメモリを含む技術的特徴１記載の燃料サプライ。
［技術的特徴７］
上記暗号化データは、カートリッジのタイプ、カートリッジが製造された日、カートリッジのロット番号、カートリッジに付与された連続識別番号、情報記憶装置が製造された日、情報記憶装置のロット番号、情報記憶装置に付与された連続識別番号、カートリッジおよび／または記憶装置用の機械識別番号、カートリッジおよび／または記憶装置が製造されたシフト（出番時間帯）、カートリッジおよび／または記憶装置が製造された国、カートリッジおよび／または記憶装置が製造された工場を識別するためのファシリティコード、温度、圧力、振動耐性、その他の動作限界、製造に用いた材料、反模倣情報、燃料情報、知的所有権情報、安全情報、セキュリティパスワード、有効期限日、シャットダウンシーケンス、ホットスワップ手順、リサイクル情報、反応物質情報、燃料ゲージタイプ、流体センサ情報、現在の燃料レベル、現在の燃料中のイオンレベル、燃料電池から取り外した回数、カートリッジを再充填した回数、カートリッジを燃料電池から取り外したときの燃料レベル、カートリッジを燃料電池に装着／結合した回数、カートリッジを燃料電池に結合したときの燃料レベル、保守情報、マーケティング情報、トリガーイベント、燃料電池の効率、および、燃料電池システムの動作履歴からなるグループから選択されている技術的特徴１記載の燃料サプライ。
［技術的特徴８］
燃料電池を内包する外側ケーシングと、
上記ケーシングにより支持され、現在の燃料中のイオンレベル、カートリッジの振動耐性、反模倣情報、知的所有権情報、セキュリティパスワード、有効期限日、シャットダウンシーケンス、ホットスワップ手順、燃料ゲージタイプ、および燃料センサ情報からなるグループから選択されたデータを記憶する情報記憶装置とを有し、
上記グループの情報はコントローラにより読み出し可能であることを特徴とする燃料電池用の燃料サプライ。
［技術的特徴９］
上記情報記憶装置は電気的に消去可能なプログラマブルリードオンリーメモリを含む技術的特徴８記載の燃料サプライ。
［技術的特徴１０］
上記グループの情報は上記電気的に消去可能なプログラマブルリードオンリーメモリの非消去可能部分に記憶される技術的特徴９記載の燃料サプライ。
［技術的特徴１１］
上記コントローラは上記燃料電池の内部に配置される技術的特徴８記載の燃料サプライ。
［技術的特徴１２］
上記コントローラは、上記燃料電池が電力供給する電子装置の内部に配置される技術的特徴８記載の燃料サプライ。
［技術的特徴１３］
上記コントローラは上記情報記憶装置に電気接続により接続される技術的特徴８記載の燃料サプライ。
［技術的特徴１４］
上記コントローラは上記情報記憶装置にワイヤレス接続により接続される技術的特徴８記載の燃料サプライ。
［技術的特徴１５］
上記燃料サプライは燃料カートリッジを含む技術的特徴８記載の燃料サプライ。
［技術的特徴１６］
上記燃料はライナーに内包され、上記ライナーは上記外側ケーシングの内部に配置される技術的特徴８記載の燃料サプライ。
［技術的特徴１７］
上記コントローラは上記燃料電池の内部に配置される技術的特徴８記載の燃料サプライ。
［技術的特徴１８］
上記コントローラは上記燃料電池が電力供給する電子装置の内部に配置される技術的特徴１７記載の燃料サプライ。
［技術的特徴１９］
上記燃料サプライはポンプに接続可能である技術的特徴８記載の燃料サプライ。
［技術的特徴２０］
上記ポンプは上記燃料電池の内部に配置される技術的特徴１９記載の燃料サプライ。
［技術的特徴２１］
燃料を内包するケーシングと、
上記ケーシングに配置され、セキュリティ識別パスワードを含む第１の情報記憶装置とを有し、
確認パスワードをアクセス可能なコントローラが、上記セキュリティ識別パスワードを読み出し、上記確認パスワードと照合し、上記セキュリティ識別パスワードが上記確認パスワードと合致したときには上記コントローラが上記燃料サプライの動作を許容し、上記セキュリティ識別パスワードが上記確認パスワードと合致ないときには上記コントローラが上記燃料サプライの動作を禁止することを特徴とする燃料電池用の燃料サプライ。
［技術的特徴２２］
上記確認パスワードは上記コントローラに記憶されている技術的特徴２１記載の燃料サプライ。
［技術的特徴２３］
上記確認パスワードは上記燃料電池の内部に設けられた第２の情報記憶装置に記憶される技術的特徴２１記載の燃料サプライ。
［技術的特徴２４］
上記確認パスワードは、上記燃料電池へ燃料を運ぶように適合化されたポンプに設けられた第２の情報記憶装置に記憶される技術的特徴２１記載の燃料サプライ。
［技術的特徴２５］
燃料を内包し、出口を具備するケーシングと、
上記ケーシングに支持され、第１のデータを含む第１の情報記憶装置と、
上記出口と液体連通であり、上記第１のデータと異なる第２のデータを含む第２の情報記憶装置を含む再充填装置とを有することを特徴とする燃料サプライ。
［技術的特徴２６］
コントローラが第１の情報記憶装置および上記第２の情報記憶装置から読み出しが可能である技術的特徴２５記載の燃料サプライ。
［技術的特徴２７］
上記情報帰国装置がホットスワップ手順に関する情報を含む燃料電池に関連する情報記憶装置。
［技術的特徴２８］
上記情報記憶装置は上記燃料電池の内部に配置される技術的特徴２７記載の燃料電池に関連する情報記憶装置。
［技術的特徴２９］
上記情報記憶装置は、上記燃料電池が電力供給する電子装置の内部に配置される技術的特徴２７記載の燃料電池に関連する情報記憶装置。
［技術的特徴３０］
上記情報記憶装置は、上記燃料電池に燃料を供給する燃料サプライの内部に配置される技術的特徴２７記載の燃料電池に関連する情報記憶装置。
［技術的特徴３１］
上記ホットスワップ手順は、トリガーのイベントが発生したときに、予め定められたシーケンスに従って、上記情報記憶装置をアクセスするコントローラが、電子装置用の代替電源へと切り替わり、かつ、燃料を上記燃料電池にポンピングするポンプが停止するように指示するための命令を含む技術的特徴２７記載の燃料電池に関連する情報記憶装置。
［技術的特徴３２］
上記トリガーのイベントは、上記電子装置が動作しているときに上記燃料電池用の上記燃料を含む燃料サプライが取り外されることを含む技術的特徴３１記載の燃料電池に関連する情報記憶装置。
［技術的特徴３３］
上記代替電源がバッテリを含む技術的特徴３１記載の燃料電池に関連する情報記憶装置。
［技術的特徴３４］
上記代替電源が上記燃料電池用の燃料を含む予備燃料室部を含む技術的特徴３１記載の燃料電池に関連する情報記憶装置。
［技術的特徴３５］
上記代替電源を使用している間に上記コントローラが上記情報記憶装置に情報を書き込む技術的特徴３１記載の燃料電池に関連する情報記憶装置。
［技術的特徴３６］
上記予め定められたシーケンスは、上記代替電源を用いて上記ポンプを駆動して上記燃料電池と上記燃料電池用のでん量を含む燃料サプライとの間のインタフェースから燃料をポンピングして除去することを含む技術的特徴３１記載の燃料電池に関連する情報記憶装置。
［技術的特徴３７］
上記代替電源がバッテリを含む技術的特徴３０記載の燃料電池に関連する情報記憶装置。
［技術的特徴３８］
上記代替電源が上記燃料電池用の燃料を含む予備燃料室部を含む技術的特徴３０記載の燃料電池に関連する情報記憶装置。
［技術的特徴３９］
上記ホットスワップ手順はセマフォー「ロック」バーブとセマフォー「アンロック」バーブを含む技術的特徴２７記載の燃料電池に関連する情報記憶装置。
［技術的特徴４０］
第１の情報記憶装置、燃料調整器、および、膜交換部材を含む燃料電池と動作可能に接続されたコントローラを有し、
上記第１の記憶装置は、燃料サプライ上に設けられ、上記燃料サプライに関連する情報を含み、上記コントローラは上記情報記憶装置に対して読み出しおよび書き込みが可能であり、
上記燃料サプライは上記燃料調整器と液体連通しており、上記燃料調整器は上記燃料電池と液体連通しており、上記燃料サプライに含まれる燃料が上記燃料電池に運ばれて電気に変換され、さらに、
上記燃料調整器は調整バルブを含むことを特徴とする燃料電池システム。
［技術的特徴４１］
上記燃料サプライの内部圧力は雰囲気圧力より大きい技術的特徴４０記載の燃料電池。
［技術的特徴４２］
上記燃料調整器はさらに上記調整バルブと液体連通するポンプを有する技術的特徴４０記載の燃料電池。
［技術的特徴４３］
上記燃料電池が電力供給を行う電子装置がオンとなるときに、上記コントローラは上記第１の情報記憶装置から読み出しを行ない、上記燃料サプライが上記燃料サプライと互換性があるかどうかを確認する技術的特徴４０記載の燃料電池システム。
［技術的特徴４４］
上記コントローラが上記ポンプに対して燃料を上記燃料サプライからポンピングするように命令する技術的特徴４３記載の燃料電池システム。
［技術的特徴４５］
上記コントローラが上記調整器を通じた流速を安定化させる技術的特徴４４記載の燃料電池システム。
［技術的特徴４６］
上記コントローラは上記調整バルブ中の開口のサイズをセットして上記流速を安定化させる技術的特徴４５記載の燃料電池システム。
［技術的特徴４７］
上記コントローラは上記ポンプのレートをセットして上記流速を安定化させる技術的特徴４５記載の燃料電池システム。
［技術的特徴４８］
第２の情報記憶装置が上記燃料調整器と関連付けられ、上記燃料調整器に関連する情報を含み、上記コントローラが上記再２の情報記憶装置から読み出しを行える技術的特徴４０記載の燃料電池システム。
［技術的特徴４９］
上記コントローラは上記第２の情報記憶装置に対して書き込みを行える技術的特徴４８記載の燃料電池システム。
［技術的特徴５０］
上記コントローラは上記燃料サプライ中の残留燃料を測定する燃料ゲージから読み出しを行ない、上記残留燃料の容積を上記第１または第２の情報記憶装置に書き込む技術的特徴４５記載の燃料電池システム。
［技術的特徴５１］
上記コントローラは、上記燃料調整器を通じて運ばれる燃料の容積を、流速と、上記燃料調整器を通じて燃料が流れる時間間隔とから確かめる技術的特徴４５記載の燃料電池システム。
［技術的特徴５２］
上記コントローラは、上記燃料調整器を通じて運ばれる燃料の容積を用いて上記残留燃料の容積を確かめ、上記第１または第２の情報記憶装置に書き込む技術的特徴４９記載の燃料電池システム。
［技術的特徴５３］
上記コントローラは流速計から上記流速を読み出す技術的特徴４９記載の燃料電池システム。
［技術的特徴５４］
上記コントローラは上記燃料電池に動作可能に接続された濃度センサから燃料濃度を読み出す技術的特徴４５記載の燃料電池システム。
［技術的特徴５５］
上記コントローラは上記燃料調整器を介する流速を変更して上記燃料濃度を予め定められた範囲に維持する技術的特徴５４記載の燃料電池システム。
［技術的特徴５６］
さらに混合室部を有し、上記混合室部は、上記燃料調整器を通じて運ばれる燃料と上記燃料電池の反応により生成される副産物とを含み、上記コントローラは、上記燃料調整器を通して運ばれる燃料の容積を制御して、上記予め定められた燃料濃度範囲を維持する技術的特徴５５記載の燃料電池システム。
［技術的特徴５７］
上記燃料調整器を通して運ばれる燃料を受け取るように適合化した燃料コンパートメントと上記燃料電池の反応により生成された副産物を受け取るように適合化した副産物コンパートメントとをさらに有し、上記コントローラは、上記燃料コンパートメントおよび上記副産物コンパートメント空上記燃料電池への燃料および副産物の流速を個別に制御して上記予め定められた燃料濃度範囲を維持する技術的特徴５５記載の燃料電池システム。
［技術的特徴５８］
上記燃料コンパートメントおよび上記副産物コンパートメントは１の混合室部に含まれる技術的特徴５７記載の燃料電池システム。
［技術的特徴５９］
第３の情報記憶装置が上記燃料電池に関連付けられ、上記燃料電池に関する情報を含み、上記コントローラが上記第３の情報記憶装置から読み出しを行える技術的特徴４０記載の燃料電池システム。
［技術的特徴６０］
上記コントローラは上記第３の情報記憶装置に対して書き込みを行える技術的特徴５９記載の燃料電池システム。
［技術的特徴６１］
イオン燃料フィルタをさらに有する技術的特徴４０記載の燃料電池システム。
［技術的特徴６２］
上記イオン燃料フィルタは上記燃料サプライ上に設けられる技術的特徴６１記載の燃料電池システム。
［技術的特徴６３］
上記コントローラが読み出し可能なイオンセンサをさらに有する技術的特徴６１記載の燃料電池システム。
［技術的特徴６４］
上記調整バルブは、燃料の流速または圧力が予め定められたレベルを下回るときに不浸透表面から離間して配置される柔らかな微孔性膜を有し、上記燃料は、上記膜の穴および上記不浸透表面の少なくとも１つの開口を介して運ばれる技術的特徴４０記載の燃料電池システム。
［技術的特徴６５］
燃料の上記速度または圧力が上記予め定められたレベルを超えると、上記柔らかな微孔性膜が変形して上記膜の少なくとも一部が上記不浸透表面と接触する技術的特徴６４記載の燃料電池システム。
［技術的特徴６６］
上記柔らかな微孔性膜が上記調整バルブに固定して取り付けられている技術的特徴６５記載の燃料電池システム。
［技術的特徴６７］
燃料の上記速度または圧力が上記予め定められたレベルを超えると上記柔らかな微孔性膜が伸びる技術的特徴６６記載の燃料電池システム。
［技術的特徴６８］
上記不浸透表面は実質的に平坦である技術的特徴６５記載の燃料電池システム。
［技術的特徴６９］
上記不浸透表面は実質的に平坦でない技術的特徴６５記載の燃料電池システム。
［技術的特徴７０］
上記不浸透表面はその表面に流れ溝を規定し、上記流れ溝が上記不浸透表面の上記少なくとも１つの開口と液体連通である技術的特徴６５記載の燃料電池システム。
［技術的特徴７１］
上記流れ溝は複数の放射状の足部を有する技術的特徴７０記載の燃料電池システム。
［技術的特徴７２］
上記流れ溝は複数の連結された同心円を有する技術的特徴７０記載の燃料電池システム。
［技術的特徴７３］
上記流れ溝は内側に向かった螺旋を有する技術的特徴７０記載の燃料電池システム。
［技術的特徴７４］
上記調整バルブは上記不浸透表面に複数の開口を有する技術的特徴６５記載の燃料電池システム。
［技術的特徴７５］
上記開口の径はそれぞれ異なる技術的特徴７４記載の燃料電池システム。
［技術的特徴７６］
上記少なくとも１つの開口の下流側にフィラーまたは保持材料が配置される技術的特徴６５記載の燃料電池システム。
［技術的特徴７７］
上記少なくとも１つの開口の上流側にフィラーまたは保持材料が配置される技術的特徴６５記載の燃料電池システム。
［技術的特徴７８］
上記調整バルブは、上記調整バルブの出口に配置されたシールをさらに有し、燃料が上記調整バルブを介して運べるようになる前に、上記シールを開けるようにする技術的特徴６５記載の燃料電池システム。
［技術的特徴７９］
上記燃料電池により制止された電気をバッテリに再充電する技術的特徴４０記載の燃料電池システム。
［技術的特徴８０］
第１の情報記憶装置、燃料調整器、および、膜交換部材を含む燃料電池と動作可能に接続されたコントローラを有し、
上記第１の記憶装置は、燃料サプライ上に設けられ、上記燃料サプライに関連する情報を含み、上記コントローラは上記情報記憶装置に対して読み出しおよび書き込みが可能であり、
上記燃料サプライは上記燃料調整器と液体連通しており、上記燃料調整器は上記燃料電池と液体連通しており、上記燃料サプライに含まれる燃料が上記燃料電池に運ばれて電気に変換され、さらに、
上記電気はバッテリに再充電されることを特徴とする燃料電池システム。
［技術的特徴８１］
上記バッテリは電子装置の内部に配置される技術的特徴８０記載の燃料電池システム。
［技術的特徴８２］
上記バッテリは電子装置の外部に配置される技術的特徴８０記載の燃料電池システム。
［技術的特徴８３］
上記バッテリは上記燃料サプライ上に配置される技術的特徴８０記載の燃料電池システム。
［技術的特徴８４］
イオン導電性のポリマーから製造された媒体を有し、当該フィルタを出る燃料の金属イオンが当該フィルタに入る燃料の金属イオンより少なく、上記媒体は、照射され、スルホン化されたポリマーを有することを特徴とする燃料電池用のフィルタ。
［技術的特徴８５］
上記イオン導電性のポリマーは、ポリエチレン（ＰＥ）、ポリプロピレン（ＰＰ）、ポリヘキサフルオロプロピレン、ポリクロロトリフルオロエチレン、ポリテトラフルオロエチレン（ＰＴＦＥ）、ポリビニルフルオライド（ＰＶＦ）、ポリビニリデンフロライド（ＰＶＤＦ）、それらのコポリマーおよびそれらのブレンドからなるグループから選択される技術的特徴８４記載のフィルタ。
［技術的特徴８６］
イオン導電性のポリマーから製造された媒体を有し、当該フィルタを出る燃料の金属イオンが当該フィルタに入る燃料の金属イオンより少なく、ポリマーは、イオン化可能な基を含有する官能化されたアルケンで共重合された非置換のアルケンまたはその先駆体、および、重合化されたアルケンおよび事後的に膜に導入されたイオン基を含むことを特徴とする燃料電池用のフィルタ。
［技術的特徴８７］
上記イオン導電性のポリマーは、ポリテトラフルオロエチレン（ＰＴＦＥ）膜有し、上記膜の孔部にペルフルオロポリマーを充填させている技術的特徴８６記載のフィルタ。
［技術的特徴８８］
上記イオン導電性のポリマーは、２．５％のクロロスルホン酸溶液中で照射したポリビニルフルオライド（ＰＶＣ）膜を有する技術的特徴８６記載のフィルタ。［技術的特徴８９］
イオン導電性のポリマーから製造された媒体を有し、当該フィルタを出る燃料の金属イオンが当該フィルタに入る燃料の金属イオンより少なく、上記イオン導電性のポリマーは、ポリスチレンスルホン酸−ポリビニルアルコールコポリマー（ＰＳＳＡ−ＰＶＡ）およびポリスチレンスルホン酸−エチレンビニルアルコールコポリマー（ＰＳＳＡ−ＥＶＯＨ）からなるグループから選択されることを特徴とする燃料電池用のフィルタ。
［技術的特徴９０］
金属捕捉剤から製造された媒体を有し、当該フィルタを出る燃料の金属イオンが当該フィルタに入る燃料の金属イオンより少なく、上記金属捕捉剤が金属イオンと結合することを特徴とする燃料電池用のフィルタ。
［技術的特徴９１］
上記金属捕捉剤は凝集剤を有する技術的特徴９０記載のフィルタ。
［技術的特徴９２］
上記金属捕捉剤はシリカゲルを有する技術的特徴９０記載のフィルタ。
［技術的特徴９３］
上記シリカゲルは、３−（ジエチレントリアミノ）プロピル−官能化シリカゲル、２−（４−エチレンジアミノ）ベンゼン）エチル−官能化シリカゲル、３−（メルカプト）プロピル−官能化シリカゲル、３−（１−チオウレイド）プロピル−官能化シリカゲルおよびトリアミンテトラアセテート−官能化シリカゲルからなるグループから選択される技術的特徴９２記載のフィルタ。
［技術的特徴９４］
上記金属捕捉剤は金属キレート化合物である技術的特徴９０記載のフィルタ。
［技術的特徴９５］
上記金属キレート化合物はエチレンジアミンテトラアセテート（ＥＤＴＡ）である技術的特徴９４記載のフィルタ。
［技術的特徴９６］
電源および離間する２つのノードを有し、上記電源が上記２つのノードの間に電圧を印可し、測定対象の燃料が上記ノードの間にあり、上記２つのノードの間で測定された電気特性が上記燃料中のイオンの量に関連することを特徴とするイオンゲージ。
［技術的特徴９７］
上記測定された電気特性は、一方のノードから他方のノードへ流れる電流である技術的特徴９６記載のイオンゲージ。
［技術的特徴９８］
上記測定された電気特性は、上記２つのノードの間の電圧である技術的特徴９６記載のイオンゲージ。
［技術的特徴９９］
電源を提供するステップと、
燃料が２つのノードの間に配されるように当該２つのノードを配置するステップと、
上記２つのノードの間に電圧を印可するステップと、
上記２つのノードの間の電気特性を測定するステップと、
測定された電気特性を既知の値と比較するステップとを有することを特徴とする燃料中のイオンレベルを測定する方法。
［技術的特徴１００］
既知の値は較正曲線またはテーブルを含む技術的特徴９９記載の方法。
［技術的特徴１０１］
上記測定された電気特性は、一方のノードから他方のノードへ流れる電流である技術的特徴９９記載の方法。
［技術的特徴１０２］
上記測定された電気特性は、上記２つのノードの間の電圧である技術的特徴９９記載の方法。